(57)【要約】【課題】太陽光発電は天候により大きな影響を受ける。このうち、特に北日本・東北・北陸地方など降雪地帯においてはソーラーパネルへの積雪・着雪により機能が失われる期間が長く生じるという問題があった。しかしながら、融雪パネルに常時通電して温度を上げておくことは、非降雪時においては非常に非効率であり、降雪時のみ融雪パネルに通電するシステムが求められていた。【解決手段】複数のリング状部材が積層して構成され、少なくとも上部開口部を構成するトップベゼルと、センサーへの着雪を防止するセンサーヒータと、通過する降雪に光照射するリング状に配設されたセンサーＬＥＤと、該センサーＬＥＤの照射光が通過降雪により反射・散乱されることによる強度変化を検知するセンサーリングと、下方開口部を構成するボトムベゼルとから構成され、該センサーリングにより収集された情報からリングを通過する降雪の有無及び降雪量を検出するすることを特徴とする降雪センサーを用い、融雪機構を備えたソーラーパネルを制御する。【選択図】図１
2020094991.tif 000002
【特許請求の範囲】
【請求項１】
降雪センサーであって、
複数のリング状部材が積層して構成され、
少なくとも上部開口部を構成するトップベゼルと、
センサーへの着雪を防止するセンサーヒータと、
通過する降雪に光照射するリング状に配設されたセンサーＬＥＤと、
該センサーＬＥＤの照射光が通過降雪により反射・散乱されることによる強度変化を検知するセンサーリングと、
下方開口部を構成するボトムベゼルとから構成され、
該センサーリングにより収集された情報からリングを通過する降雪の有無及び降雪量を検出することを特徴とする、
降雪センサー。
【請求項２】
該降雪センサーは、
さらにヒータのオンオフを示すリング状のヒータパイロットランプが積層されてなることを特徴とする、
請求項１記載の降雪センサー。
【請求項３】
請求項１又は２記載の降雪センサーを用いた降雪センサーと融雪機構を備えたソーラーパネルであって、
該降雪センサーは、その検出情報を制御系に出力し、
かかる情報を基にしてソーラーパネルに備えられた融雪機構を制御することを特徴とする、
降雪センサーと融雪機構を備えたソーラーパネル。
【請求項４】
該降雪センサーと融雪機構を備えたソーラーパネルの融雪機構の制御は、
該降雪センサーからの検出情報を制御系に於いてマイコン処理し、
ソーラーパネルに備えられた融雪機構への通電をスイッチングすることにより行われることを特徴とする、
請求項３記載の降雪センサーと融雪機構を備えたソーラーパネル。
【請求項５】
該降雪センサー及び制御系は、複数の融雪機構を備えたソーラーパネルに連結され、
集中制御が行われることを特徴とする、
請求項３又は４記載の降雪センサーと融雪機構を備えたソーラーパネル。
【請求項６】
該降雪センサー及び制御系は、夫々の融雪機構を備えたソーラーパネルに連結され、
分散制御が行われることを特徴とする、
請求項３又は４記載の降雪センサーと融雪機構を備えたソーラーパネル。
【請求項７】
該降雪センサー及び制御系は、夫々の融雪機構を備えたソーラーパネルに連結され、
分散制御が行われるとともに、
ソーラーパネルからの出力を回生して融雪機構の電源に用いることを特徴とする、
請求項６記載の降雪センサーと融雪機構を備えたソーラーパネル。
【発明の詳細な説明】
【技術分野】
【０００１】
本発明は、降雪センサー及び降雪センサーと融雪機構を備えたソーラーパネルに関するものである。
【背景技術】
【０００２】
太陽光発電は、クリーンエネルギーの中核としてその重要性は誰もが認めるものとなっている。
【０００３】
しかし、太陽光発電は天候により大きな影響を受ける。このうち、特に北日本・東北・北陸地方など降雪地帯においてはソーラーパネルへの積雪・着雪により機能が失われる期間が長く生じるという問題があった。
【０００４】
これに対応するため、ソーラーパネルに融雪モジュールを積層するといった提案もなされている。（特許文献２参照）
【先行技術文献】
【特許文献】
【０００５】
【特許文献１】特開平４ー３０９８４６号公報
【特許文献２】特許第５９９０７２１号公報
【発明の概要】
【発明が解決しようとする課題】
【０００６】
しかしながら、融雪パネルに常時通電して温度を上げておくことは、非降雪時においては非常に非効率であり、降雪時のみ融雪パネルに通電するシステムが求められていた。
【課題を解決するための手段】
【０００７】
本発明はこの課題を解決する降雪センサー及び降雪センサーと融雪機構を備えたソーラーパネルである。
【０００８】
本発明は、複数のリング状部材が積層して構成され、少なくとも上部開口部を構成するトップベゼルと、センサーへの着雪を防止するセンサーヒータと、通過する降雪に光照射するリング状に配設されたセンサーＬＥＤと、該センサーＬＥＤの照射光が通過降雪により反射・散乱されることによる強度変化を検知するセンサーリングと、下方開口部を構成するボトムベゼルとから構成され、該センサーリングにより収集された情報からリングを通過する降雪の有無及び降雪量を検出することを特徴とする降雪センサーである。
【０００９】
また本発明は、該降雪センサーがさらにヒータのオンオフを示すリング状のヒータパイロットランプが積層されてなることを特徴とする。
【００１０】
また本発明は、前記の降雪センサーを用いた降雪センサーと融雪機構を備えたソーラーパネルであって、該降雪センサーは、その検出情報を制御系に出力し、かかる情報を基にしてソーラーパネルに備えられた融雪機構を制御することを特徴とする。
【００１１】
また本発明は、該降雪センサーと融雪機構を備えたソーラーパネルの融雪機構の制御が、該降雪センサーからの検出情報を制御系に於いてマイコン処理し、ソーラーパネルに備えられた融雪機構への通電をスイッチングすることにより行われることを特徴とする。
【００１２】
また本発明は、該降雪センサー及び制御系が複数の融雪機構を備えたソーラーパネルに連結され、集中制御が行われることを特徴とする。或いは本発明は、該降雪センサー及び制御系が夫々の融雪機構を備えたソーラーパネルに連結され、分散制御が行われることを特徴とし、さらに、ソーラーパネルからの出力を回生して融雪機構の電源に用いることを特徴とする。
【発明の効果】
【００１３】
本発明に係る降雪センサー及び降雪センサーと融雪機構を備えたソーラーパネルは、降雪時のみ融雪パネルに通電するシステムを低コスト且つ高精度で構築、運用することが出来、その効果は大である。
【図面の簡単な説明】
【００１４】
【図１】図１は、本発明に係る降雪センサー及び制御系の構成を示す概念図である。
【図２】図２は、本発明に係る降雪センサー及び降雪センサーと融雪機構を備えたソーラーパネルの構成の一例（集中制御の場合）を示す概念図である。
【図３】図３は、本発明に係る降雪センサー及び降雪センサーと融雪機構を備えたソーラーパネルの構成の一例（分散制御の場合）を示す概念図である。
【図４】図４は、本発明に係る降雪センサー及び降雪センサーと融雪機構を備えたソーラーパネルの構成の一例（回生構成の場合）を示す概念図である。
【発明を実施するための形態】
【００１５】
本発明は、複数のリング状部材が積層して構成され、少なくとも上部開口部を構成するトップベゼルと、センサーへの着雪を防止するセンサーヒータと、通過する降雪に光照射するリング状に配設されたセンサーＬＥＤと、該センサーＬＥＤの照射光が通過降雪により反射・散乱されることによる強度変化を検知するセンサーリングと、下方開口部を構成するボトムベゼルとから構成され、該センサーリングにより収集された情報からリングを通過する降雪の有無及び降雪量を検出することを特徴とする降雪センサーである。
【００１６】
また本発明は、該降雪センサーがさらにヒータのオンオフを示すリング状のヒータパイロットランプが積層されてなることを特徴とする。
【００１７】
また本発明は、前記の降雪センサーを用いた降雪センサーと融雪機構を備えたソーラーパネルであって、該降雪センサーは、その検出情報を制御系に出力し、かかる情報を基にしてソーラーパネルに備えられた融雪機構を制御することを特徴とする。
【００１８】
また本発明は、該降雪センサーと融雪機構を備えたソーラーパネルの融雪機構の制御が、該降雪センサーからの検出情報を制御系に於いてマイコン処理し、ソーラーパネルに備えられた融雪機構への通電をスイッチングすることにより行われることを特徴とする。
【００１９】
また本発明は、該降雪センサー及び制御系が複数の融雪機構を備えたソーラーパネルに連結され、集中制御が行われることを特徴とする。或いは本発明は、該降雪センサー及び制御系が夫々の融雪機構を備えたソーラーパネルに連結され、分散制御が行われることを特徴とし、さらに、ソーラーパネルからの出力を回生して融雪機構の電源に用いることを特徴とする。
【実施例１】
【００２０】
図１は、本発明に係る降雪センサー及び制御系の構成を示す概念図である。降雪センサーは複数のリング状部材が積層して構成され、少なくとも上部開口部を構成するトップベゼルと、センサーへの着雪を防止するセンサーヒータと、通過する降雪に光照射するリング状に配設されたセンサーＬＥＤと、該センサーＬＥＤの照射光が通過降雪により反射・散乱されることによる強度変化を検知するセンサーリングと、下方開口部を構成するボトムベゼルとから構成され、該センサーリングにより収集された情報からリングを通過する降雪の有無及び降雪量を検出するようにした。さらに、下部にはヒータのオンオフを示すリング状のヒータパイロットランプを積層した。
【００２１】
降雪センサーは、その検出情報を制御系に出力し、かかる情報を基にしてソーラーパネルに備えられた融雪機構を制御する。
【００２２】
本実施例では、降雪センサーと融雪機構を備えたソーラーパネルの融雪機構の制御が、降雪センサーからの検出情報を制御系に於いてマイコン処理し、ソーラーパネルに備えられた融雪機構への通電をスイッチングすることにより行われるようにした。
【００２３】
これにより、本発明に係る降雪センサー及び降雪センサーと融雪機構を備えたソーラーパネルは、降雪時のみ融雪パネルに通電するシステムを低コスト且つ高精度で構築、運用することが出来、非常に有効であった。
【００２４】
図２は、本発明に係る降雪センサー及び降雪センサーと融雪機構を備えたソーラーパネルの構成の一例（集中制御の場合）を示す概念図である。この場合、降雪センサーは１台のみでよく、設置場所は商用電源の受電箇所近傍にすれば良い。本実施例では、受電する電柱にセンサーを設置している。
【００２５】
集中制御の場合、個々のソーラーパネルの個性やバラツキにきめ細かく対応することはできないが、部品点数を減らし低コストでの運用が可能となった。
【００２６】
図３は、本発明に係る降雪センサー及び降雪センサーと融雪機構を備えたソーラーパネルの構成の一例（分散制御の場合）を示す概念図である。分散制御の場合、個々のソーラーパネルの個性やバラツキにきめ細かく対応することが出来、高効率の運用が可能となった。
【００２７】
図４は、本発明に係る降雪センサー及び降雪センサーと融雪機構を備えたソーラーパネルの構成の一例（回生構成の場合）を示す概念図である。ソーラーパネルで発電した電力の一部を回生して融雪ヒーターに利用する構成であり、例えば商用電源の価格が高い時間帯は回生電力を、安価な深夜時間帯等は商標電源を選択する等、効率的な運用が可能となる。
【産業上の利用可能性】
【００２８】
本発明に係る降雪センサー及び降雪センサーと融雪機構を備えたソーラーパネルは、降雪時のみ融雪パネルに通電するシステムを低コスト且つ高精度で構築、運用することが出来、産業上の利用可能性は大であると言える。
【図１】
2020094991.tif 000003
【図２】
2020094991.tif 000004
【図３】
2020094991.tif 000005
【図４】
2020094991.tif 000006